(57)【要約】      （修正有）【課題】ケース及びストラップの両方から光が放射されると共に、ペットボトルの首部に係止することにより持ち運びに便利なペットボトルホルダーとして使用可能な発光ストラップを提供する。【解決手段】発光ストラップ１は、発光素子３３及び電池３４を具備する発光部３を内部に固定し且つ透光性を有するケース２と、導光性を有する導光紐５、及び導光紐の両方の端部を束ねて固定するコネクタ６を具備するストラップ４と、導光紐をペットボトルの首部に取りつけ固定する固定部７とを備える。ケースにはストラップのコネクタが挿入される嵌合孔２３が形成され、コネクタは透光性を有し、嵌合孔に挿入されることにより導光紐の端部の端面が発光素子と対向する位置で揺動可能に発光素子の少なくとも一部を覆うように配設される。【選択図】図３
0003226384.tif 000002
【実用新案登録請求の範囲】
【請求項１】
発光素子及び電池を具備する発光部を内部に固定し且つ透光性を有するケースと、
導光性を有する導光紐、及び前記導光紐の両方の端部を束ねて固定するコネクタを具備するストラップと、
を備え、
前記ケースには前記ストラップの前記コネクタが挿入される嵌合孔が形成されており、
前記コネクタは透光性を有し、前記嵌合孔に挿入されることにより前記導光紐の前記端部の端面が前記発光素子と対向する位置で揺動可能に前記発光素子の少なくとも一部を覆うように配設されることを特徴とする発光ストラップ。
【請求項２】
前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きい請求項１に記載の発光ストラップ。
【請求項３】
前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されている請求項１又は２に記載の発光ストラップ。
【請求項４】
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備える請求項１乃至３のいずれかに記載の発光ストラップ。
【請求項５】
前記スイッチの操作により、前記発光素子の発光及び非発光の状態が前記制御回路により制御される請求項１乃至４のいずれかに記載の発光ストラップ。
【請求項６】
前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きく、
前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されており、
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備え、
前記スイッチの操作により、前記発光素子の発光及び非発光の状態が前記制御回路により制御される請求項１記載の発光ストラップ。
【請求項７】
前記導光紐の直径は、ペットボトルの首部の上部に設けられている鍔の幅と同じである請求項１乃至６のいずれかに記載の発光ストラップ。
【考案の詳細な説明】
【技術分野】
【０００１】
本考案は、発光ストラップに関する。更に詳しくは、ケース及びストラップの両方から光が放射されると共に、ペットボトルの首部に係止することにより持ち運びに便利なペットボトルホルダーとして使用可能な発光ストラップに関する。
【背景技術】
【０００２】
一般にストラップは首に掛けたり、手持ちしたりするため、ストラップ自身が発光すると美観に優れる（例えば、特許文献１を参照。）。特許文献１に記載されている携帯用アクセサリーは、ＥＬシート等の発光体をストラップである帯状部材に設け、帯状部材を発光させている。
また、ペットボトルの口部と胴部の間に位置する首部に係止することにより、ペットボトルを持ち運びできるようにする吊り下げ紐が知られている（例えば、特許文献２を参照。）。特許文献２に記載されている吊り下げ紐は、ペットボトルの首部に約半周巻き付け、且つ巻き付け位置の反対側に紐の両側が挿通する引っ掛け補強棒及び紐固定ネジ部により縛り付けることにより係止することができる。
【先行技術文献】
【特許文献】
【０００３】
【特許文献１】特開２００３−２８９９２０号公報
【特許文献２】特開２０００−６９７４号公報
【考案の概要】
【考案が解決しようとする課題】
【０００４】
しかし、特許文献１に記載されているような携帯用アクセサリーは、帯状部材とペンダントに電気配線を行う必要があり、ペットボトルを取り付けたとき、重みで断線しやすい問題がある。また、帯状部材とペンダントとの接合部に応力が掛かりやすく破損するおそれがある。更に、帯状部材の長さに合わせた発光体や配線を用意する必要がある。
また、特許文献２に記載されている吊り下げ紐は、紐の発光、及び紐自体の美観について検討されていない。
【０００５】
そこで、本考案は、ケース及びストラップの両方から光が放射されると共に、ペットボトルの首部に係止して、持ち運びに便利なペットボトルホルダーとして使用することができる発光ストラップを提供することを目的とする。
【課題を解決するための手段】
【０００６】
本考案は以下のとおりである。
１．発光素子及び電池を具備する発光部を内部に固定し且つ透光性を有するケースと、
導光性を有する導光紐、及び前記導光紐の両方の端部を束ねて固定するコネクタを具備するストラップと、
を備え、
前記ケースには前記ストラップの前記コネクタが挿入される嵌合孔が形成されており、
前記コネクタは透光性を有し、前記嵌合孔に挿入されることにより前記導光紐の前記端部の端面が前記発光素子と対向する位置で揺動可能に前記発光素子の少なくとも一部を覆うように配設されることを特徴とする発光ストラップ。
２．前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きい前記１．に記載の発光ストラップ。
３．前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されている前記１．又は２．に記載の発光ストラップ。
４．前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備える前記１．乃至３．のいずれかに記載の発光ストラップ。
５．前記スイッチの操作により、前記発光素子の発光及び非発光の状態が前記制御回路により制御される前記１．乃至４．のいずれかに記載の発光ストラップ。
６．前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きく、
前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されており、
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備え
前記スイッチの操作により、前記発光素子の発光及び非発光の状態が前記制御回路により制御される前記１．に記載の発光ストラップ。
７．前記導光紐の直径は、ペットボトルの首部の上部に設けられている鍔の幅と同じである前記１．乃至６．のいずれかに記載の発光ストラップ。
【考案の効果】
【０００７】
本考案の発光ストラップは、発光素子及び電池を具備する発光部を内部に固定し且つ透光性を有するケースと、導光性を有する導光紐、及び前記導光紐の両方の端部を束ねて固定するコネクタを具備するストラップと、を備え、前記ケースには前記ストラップの前記コネクタが挿入される嵌合孔が形成されており、前記コネクタは透光性を有し、前記嵌合孔に挿入されることにより前記導光紐の前記端部の端面が前記発光素子と対向する位置で揺動可能に前記発光素子の少なくとも一部を覆うように配設されるため、ストラップの動きが発光部に伝わらず、発光部の破損を防止することができる。
また、導光紐によりぶら下げられているケースが揺れても、ケースとコネクタとの境界に応力が集中してケースやコネクタが破損することを抑制することができる。更に、１つの発光部によりケース及び導光紐から発光素子の光が放射され、美観に優れる。すなわち、コネクタが発光素子の少なくとも一部を覆うことにより、発光素子から発する光の一部を導光紐に入射させて導光紐の側面から漏光させることができ、且つその他の光をケースから発することができるため、コネクタが発光素子を覆う範囲を調節することで導光紐とケースからの放射光のバランスを容易に調節することができる。また、コネクタが透光性を有するため、コネクタに覆われて、発光素子から発する光が直接ケースに届かなくても、コネクタ表面から漏光した光がケースに到達し、ケース全体から光りが放射されるようにすることができ、美観に優れる。
【０００８】
前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、前記嵌合孔の内径は、前記大径開口部より小さく、且つ前記小径開口部より大きい場合は、コネクタの外径の大きさの違いにより、コネクタが揺動可能にケースに嵌合されて、コネクタが破損することを抑制することができる。
前記発光部は前記電池により駆動される制御回路が搭載された制御基板上に形成されており、スイッチが前記制御基板の一面側に具備され、前記電池は前記制御基板の他面側に具備されており、前記電池が前記ケースに形成された電池嵌合部に嵌合することにより前記制御基板が前記ケースの内側に固定されている場合は、発光部を搭載した制御基板のケースへの取り付けを簡略にすることができる。
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備える場合は、ストラップによりペットボトルの首部等をケースと固定部との間に挟持することができ、ペットボトル等を容易に固定することができる。
前記スイッチの操作により、前記発光素子の発光及び非発光の状態が前記制御回路により制御される場合は、制御回路により発光素子の発光及び非発光のタイミングを多様に制御することができ、美観に優れる。
前記導光紐の直径は、ペットボトルの首部の上部に設けられている鍔の幅と同じである場合は、ペットボトルをぶら下げるペットボトルホルダーとして好適であり、導光紐が首部の鍔を越えて脱落することを防止することができる。また、鍔の幅は約３〜５ｍｍあるため、光放射部の面積が広く導光紐の発光が視認しやすく、導光紐から漏出する光がペットボトルの首部からペットボトル内に入射し、ペットボトルが発光するように見えるという美観になり、好ましい。また、同じ幅の導光紐を手首や首に掛けてペットボトルをぶら下げたときであっても、導光紐が肌に食い込みにくい。
【図面の簡単な説明】
【０００９】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本発光ストラップの外観を示す正面図である。
【図２】本発光ストラップの外観を示す背面図である。
【図３】本発光ストラップの背面側のケース殻を外した状態を示す背面図である。
【図４】発光部の構成を説明するための斜視図である。
【図５】コネクタの外観とコネクタに固定されている導光紐の端部を説明するための斜視図である。
【図６】挟持部が係止部により係止されている状態の固定部を説明するための側面図である。
【図７】挟持部が導光紐を係止していない状態の固定部を説明するための側面図である。
【図８】本発光ストラップをペットボトルの首部に固定した状態を説明するための斜視図である。
【図９】本発光ストラップをペットボトルの首部に固定した状態を説明するための正面図である。
【考案を実施するための形態】
【００１０】
以下、図を参照しながら本器具を説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１１】
本実施形態に係る発光ストラップ１は、発光素子３３及び電池３４を具備する発光部３を内部に固定し且つ透光性を有するケース２と、導光性を有する導光紐５、及び導光紐５の両方の端部５１、５１を束ねて固定するコネクタ６を具備するストラップ４と、を備える（図１〜３を参照。）。ケース２にはストラップ４のコネクタ６が挿入される嵌合孔２３が形成されており、コネクタ６は透光性を有し、嵌合孔２３に挿入されることにより導光紐５の端部５１、５１の端面が発光素子３３と対向する位置で揺動可能に発光素３３子の少なくとも一部を覆うように配設される。
また、導光紐５を挟むように固定部７を備えることができる。発光ストラップ１は、図８及び９に例示するように、ペットボトル９に固定してぶら下げるペットボトルホルダーとして使用することができる。適用されるペットボトル９は、胴部９１と、胴部９１より小径の首部９２と、首部９２の上部に設けられている鍔９３と、鍔９３の上部に設けられている栓９４とを備える。ペットボトル９の容量は特に問わないが、持ち歩きに多用される２００〜８００ｍｌを例示することができる。更に、発光ストラップ１は、ペットボトルに限られず、首部を備える金属製容器やガラス製容器に対して使用してもよい。
【００１２】
前記ケース２は透光性を有する合成樹脂により形成されている。このようなケース２は、例えば１対のケース殻２１、２２を嵌合させることで形成することができる。また、コネクタ６を嵌合させるための嵌合孔２３と、Ｕ字形状に切り出され、押し込むことでケース２内に設けられているスイッチ３２を押すことができるスイッチキー２４（図２を参照。）と、発光部３の電池３４を嵌合するための電池嵌合部２５（図１を参照。）と、を備える。ケース２の形状は任意にすることができ、図１〜３に示す星形状の他、円板形状、ハート形状等の任意形状とすることができる。
発光部３は電池３４により駆動される制御回路（図示せず）が搭載された制御基板３１上に形成されており、スイッチ３２が制御基板３１の一面側に具備され、電池３４は制御基板３１の他面側に具備することができる（図４を参照。）。そして、電池３４がケース２に形成された電池嵌合部２５に嵌合することにより、制御基板３１がケース２の内側に固定されるようにすることができる（図２及び３を参照。）。
スイッチ３２の操作により、発光素子３３の発光及び非発光の状態が前記制御回路により制御される。制御回路は、発光素子３３の発光、非発光に限られず、任意のパターンにより発光素子３３を発光させたり、スイッチの操作回数によって発光パターンを変化させたりすることができる。
発光素子３３はリード線３６が延設されているＬＥＤ素子であり（図４を参照。）、制御基板３１への取付け方は問わない。例えば、リード線３６が制御基板３１の基板面の面方向に伸びるように取り付けられており、ＬＥＤ素子がそのリード線３６によって十分な強度で支持されるようにすることができる。
制御基板３１上には、押しボタン型スイッチであるスイッチ３２が設けられている。スイッチ３２は、制御基板３１の一方の面上であってケース２のスイッチキー２４に対応する位置に配設される（図２及び３を参照。）。
電池３４は１以上のボタン型電池であって、制御基板３１の他方の面上に積み重ねて固定されている。また、発光部３は、電池嵌合部２５に電池３４を挿入して嵌め込むことにより図３に示すようにケース２に固定することができ、小型な発光部３を一体に作製し、組み立て作業を簡略にすることができる。
【００１３】
ストラップ４の前記導光紐５は、各端部５１、５１の向きを揃えて束ねることで輪状となり、首、肩、及び手首等からぶら下げることができるストラップとして使用することができる透光性及び可撓性を備える合成樹脂製からなる紐状物であり、各端部５１、５１の端面５２、５２から入射した光が周面から漏光する側面発光型の導光体として機能する。導光紐の断面形状は特に問わず、円形、楕円形の他、長方形、及び星形等を例示することができる。
導光紐５の直径及び長さは、手提げ用、首下げ用等の用途に応じて適宜選択することができる。導光紐５の直径は、好ましくは２〜７ｍｍ、特に好ましくは３〜５ｍｍとすることができる。前記範囲とすることによりペットボトル９の首部９２の上部に通常設けられている鍔９３の幅（通常３〜５ｍｍとすることができる）と略同じにすることができ、導光紐５が鍔９３を越えてペットボトル９から脱落することを防止することができる（図８及び９を参照。）。また、前記範囲の直径は発光面積が十分に広いため導光紐５の発光が視認しやすくなり、且つ導光紐５を手首や首に掛けて、ペットボトル９をぶら下げたときであっても、導光紐５が肌に食い込みにくい。
【００１４】
前記コネクタ６は透光性を有する合成樹脂製である。コネクタ６は、図３に示すように、前記導光紐５の各端部５１、５１の端面が前記発光素子３３と対向する位置で揺動可能に前記ケース２に嵌合することができる。前記揺動可能とは、コネクタ６がケース２から脱落しない状態で、向きを変えることができる状態をいう。揺動可能とする手段は特に問わず、例えば、コネクタ６が、ケース２内に位置するコネクタ６の外形がケース２に形成された嵌合孔２３よりも大きくして嵌合孔２３から脱落しないようにし、且つ嵌合孔２３にコネクタ６との間に隙間を設けることによって揺動可能にすることができる。
コネクタ６の形状は適宜選択でき、例えば図５に示すように、両側の外径及び開口部の口径が異なる、小径開口部６１と大径開口部６２とを備える筒形状とすることができる。
両側の開口部６１、６２の口径を異なる形状とするには、例えば、段差及びテーパを挙げることができる。小径開口部６１には導光紐５の各端部５１、５１が挿入され、嵌合、熱融着、接着等の任意の手段により固定される。大径開口部６２は、その内径が少なくとも発光素子の外径より大きく、発光素子３３の少なくとも一部分を覆う。コネクタ６の内側と発光素子３３との間には隙間があることが好ましい。コネクタ６内に発光素子３３の少なくとも一部が挿入されることにより、コネクタ６が発光素子３３の一部又は全てを覆い、発光素子３３から発せられる光を、直接又はコネクタ６の内面の反射によって導光紐５の端面５２、５２に入射させることができる。コネクタ６によって発光素子３３を覆う範囲は特に問わず、ケース２と導光紐５の発光量のバランスに合わせて適宜選択することができる。
【００１５】
ストラップ４には、折り返されている導光紐５をまとめて挟むように固定部７を備えることができる。固定部７は、折り返されている導光紐５の途中に設けられ、導光紐５の両端側を一対に束ね、コネクタ６との間で導光紐５５、５５によりペットボトル９（好適には、鍔９３の下）を挟み付けて固定するために用いられる（図８、９参照）。固定部７は、合成樹脂製であり、図６及び７に示すように、導光紐５を挟持固定する１対の挟持部７１、７２と、各前記挟持部７１、７２の一端側を接続する弾性部７３と、各前記挟持部７１、７２の他端側に設けられており、前記挟持部７１、７２が前記導光紐５を挟持固定している状態で係止する係止部７４と、前記弾性部７３及び前記係止部７４にそれぞれ設けられており、一対に束ねられている前記導光紐５を挿通する挿通孔７５、７６と、を具備する。係止部７４は、挟持部７１の他端を係止する爪を有している。
固定部７は図７に示すように、係止部７４による係止がされていないとき、弾性部７３の弾性により挟持部７１、７２が離間し、導光紐５に沿って位置を自由に変えることができる。
【００１６】
このような発光ストラップ１は、外部からスイッチキー２４を押し込むことで、発光部３のスイッチ３２を押すことができ、この操作により電池３４で駆動される制御回路により発光素子３３が制御されて、発光させることができる。また、スイッチ３２を繰り返し操作することによって発光パターンの変化や消灯を切り替えることができる。
そして、発光素子３３から発する光がケース２に直接又はコネクタ６を介して到達することでケース２が発光すると共に、導光紐５の端部５１、５１の端面５２、５２に入光することにより導光紐５全体から光が放射される。
【００１７】
また、図８及び９に示すように、ケース２と固定部７との間の導光紐５５、５５をペットボトル９の首部９２（鍔９３の下）の周に沿って沿わせた状態で、固定部７による固定で緩みが出ないように縛り付けることによって、ペットボトル９が発光ストラップ１から脱落しないように固定することができる。このとき、導光紐５５、５５から漏出する光がペットボトル９の首部９２からペットボトル９内に入射し、ペットボトル９が発光するように見え、美観に優れる。
また、固定部７は、挿通孔７５、７６に挿通された導光紐５が一対の挟持部７１、７２により挟持され、且つ挟持部７１、７２が、弾性部７３及び係止部７４により挟持した状態で固定されているため、導光紐５の位置がずれることがない。更に、２つの挿通孔７５、７６の間に挟持部７１、７２が位置するため、挟持部７１、７２を係止部７４により係止するときに、挟持部７１、７２上に導光紐５が位置するように位置合わせする作業が不要である。
【００１８】
尚、本考案においては、以上に示した実施形態に限られず、目的、用途に応じて本考案の範囲内で種々変更した態様とすることができる。
【符号の説明】
【００１９】
１；発光ストラップ、
２；ケース、２１、２２；ケース殻、２３；嵌合孔、２４；スイッチキー、２５；電池嵌合部、
３；発光部、３１；制御基板、３２；スイッチ、３３；発光素子、３４；電池、３６；リード線、
４；ストラップ、
５、５５；導光紐、５１；端部、７２；端面、
６；コネクタ、６１；小径開口部、６２；大径開口部、
７；固定部、７１、７２；挟持部、７３；弾性部、７４；係止部、７５、７６；挿通孔、
９；ペットボトル、９１；胴部、９２；首部、９３；鍔、９４；栓。
【図１】
0003226384.tif 000003
【図２】
0003226384.tif 000004
【図３】
0003226384.tif 000005
【図４】
0003226384.tif 000006
【図５】
0003226384.tif 000007
【図６】
0003226384.tif 000008
【図７】
0003226384.tif 000009
【図８】
0003226384.tif 000010
【図９】
0003226384.tif 000011
【手続補正書】
【提出日】令和2年3月3日(2020.3.3)
【手続補正１】
【補正対象書類名】実用新案登録請求の範囲
【補正対象項目名】全文
【補正方法】変更
【補正の内容】
【実用新案登録請求の範囲】
【請求項１】
発光素子及び電池を具備する発光部を内部に固定し且つ透光性を有するケースと、
導光性を有する導光紐、及び前記導光紐の両方の端部を束ねて固定するコネクタを具備するストラップと、
を備え、
前記ケースには前記ストラップの前記コネクタが挿入される嵌合孔が形成されており、
前記コネクタは透光性を有し、前記嵌合孔に挿入されることにより前記導光紐の前記端部の端面が前記発光素子と対向する位置で揺動可能に前記発光素子の少なくとも一部を覆うように配設されることを特徴とする発光ストラップ。
【請求項２】
前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きい請求項１に記載の発光ストラップ。
【請求項３】
前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されている請求項１又は２に記載の発光ストラップ。
【請求項４】
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備える請求項１乃至３のいずれかに記載の発光ストラップ。
【請求項５】
前記スイッチの操作により、前記発光素子の発光及び非発光の状態が前記制御回路により制御される請求項３に記載の発光ストラップ。
【請求項６】
前記コネクタは、段差又はテーパを有し、小径開口部と大径開口部とを備える筒形状であり、前記小径開口部に前記導光紐の前記各端部が挿入固定され、且つ前記ケースに形成された前記嵌合孔に挿入されており、
前記嵌合孔の内径は、前記大径開口部より小さく、且つ前記小径開口部より大きく、
前記発光部は前記電池により駆動される制御回路が搭載された制御基板上に形成されており、スイッチが前記制御基板の一面側に具備され、前記電池は前記制御基板の他面側に具備されており、
前記電池が前記ケースに形成された電池嵌合部に嵌合することにより前記制御基板が前記ケースの内側に固定されており、
前記導光紐を挟持固定する１対の挟持部と、各前記挟持部の一端側を接続する弾性部と、各前記挟持部の他端側に設けられており、前記挟持部が前記導光紐を挟持固定している状態で係止する係止部と、前記弾性部及び前記係止部に設けられており、束ねられている前記導光紐を挿通する挿通孔と、を具備する固定部を更に備え、
前記スイッチの操作により、前記発光素子の発光及び非発光の状態が前記制御回路により制御される請求項１記載の発光ストラップ。
【請求項７】
前記導光紐の直径は、ペットボトルの首部の上部に設けられている鍔の幅と同じである請求項１乃至６のいずれかに記載の発光ストラップ。